(57)【要約】【課題】  食器等の汚れを吐水の勢いで洗浄するような使い勝手をする場合でも、水跳ねがシンク外に飛び散りにくい昇降式吐水装置を提供することを目的とする。【解決手段】  シンクを有するキッチンの取付面に設置された昇降保持部材と、該昇降保持部材の内部を進退及び回転する昇降パイプと、該昇降パイプの上端部に設置されたスパウトと、該スパウトの該昇降パイプとの非接続側の先端部に設けられた吐水口とを有する昇降式吐水装置において、該昇降パイプを最下部に位置させた時に該吐水口が該シンクの凹形状内部に位置するように構成した。【選択図】  図６
2005139664.tif 000002
【特許請求の範囲】
【請求項１】
シンクを有するキッチンの取付面に設置された昇降保持部材と、前記昇降保持部材の内部を進退及び回転する昇降パイプと、前記昇降パイプの上端部に設置されたスパウトと、前記スパウトの前記昇降パイプとの非接続側の先端部に設けられた吐水口とを有する昇降式吐水装置において、前記昇降パイプを最下部に位置させた時に前記吐水口が該シンクの凹形状内部に位置することを特徴とする昇降式吐水装置。
【請求項２】
前記スパウトが前記昇降パイプの進退する軸に対して略直角方向で直線状に突出したことを特徴とする請求項１に記載の昇降式吐水装置。
【請求項３】
前記吐水口から吐出される水の向きを略鉛直方向から略水平方向に可変保持する回転機構部を前記スパウト又は前記吐水口に設けたことを特徴とする請求項１又は２に記載の昇降吐水装置。
【発明の詳細な説明】
【技術分野】
【０００１】
本発明は、水栓の本体および吐水口が昇降する昇降式吐水装置に関するものである。
【背景技術】
【０００２】
従来技術としては、既に特開平１１−３０３１６６号公報（特許文献１）に開示されているものがある。その構成は、キッチンのシンクの奥の天板１０１上に取り付けられたスパウト１００が回動することにより吐水口１０２がシンクの上方を移動すると共に、吐水口１０２がシンクの上方で昇降自在で、且つ回動するスパウト１００の半径方向に移動自在としているキッチン用水栓装置である。
【０００３】
このように構成することで、吐水口１０２の位置を広範囲な空間で設定することができ、柔軟な使い勝手を可能にするとともに、作業者の身長や作業方法等に合わせて吐水口１０２の位置を自由に変えることができ、作業者にとって最も使い易い吐水口１０２の位置を選ぶことをできる。その結果、炊事や食器類の洗浄作業時の立ち姿勢における腰等への負担を軽減することができ、腰痛を招くといった問題を解決している。
【特許文献１】特開平１１−３０３１６６号公報（第２頁、第３図）
【発明の開示】
【発明が解決しようとする課題】
【０００４】
しかしながら、図９に示す特許文献１に開示されているものは、吐水口が広範囲な空間に設定できるとはいうものの、スパウトがある曲げＲを持った一般的な管材等で形成されているので、吐水口を下降させようとしてもその曲げＲの始まり箇所までしか下降させることができず、それによって吐水口を下降させる位置には限界があり、天板からある程度の距離を保った位置までしか下降できず、食器等の汚れを吐水の勢いで洗浄するような使い勝手をする場合に、水跳ねがシンク外に飛び散りやすいといった課題を有していた。
そこで、本発明では上記の問題点を解決するため、食器等の汚れを吐水の勢いで洗浄するような使い勝手をする場合でも、水跳ねがシンク外に飛び散りにくい昇降式吐水装置を提供することを目的とする。
【課題を解決するための手段】
【０００５】
本発明の請求項１では、シンクを有するキッチンの取付面に設置された昇降保持部材と、前記昇降保持部材の内部を進退及び回転する昇降パイプと、前記昇降パイプの上端部に設置されたスパウトと、前記スパウトの前記昇降パイプとの非接続側の先端部に設けられた吐水口とを有する昇降式吐水装置において、前記昇降パイプを最下部に位置させた時に前記吐水口が該シンクの凹形状内部に位置するように構成した。
【０００６】
これにより、吐水の勢いで汚れを落とすような使い方をしても、吐水口をシンク凹形状内に位置させておけば、水跳ねがシンク凹形状外に出るのを防止でき、より強い勢いで汚れを落とすことができる。当然、大物洗い等で吐水口空間が必要な場合は昇降パイプを上昇させれば従来通りの使い方も可能となる。
【０００７】
本発明の請求項２では、前記スパウトが前記昇降パイプの進退する軸に対して略直角方向で直線状に突出するようにした。
これにより、昇降させるために必要な空間を最も小さくでき、空間を有効に利用することができる。
【０００８】
本発明の請求項３では、前記吐水口から吐出される水の向きを略鉛直方向から略水平方向に可変保持する回転機構部を前記スパウト又は前記吐水口に設けた。これにより、更に水跳ねしにくい吐水の方向に調整できると共に、シンク凹形状内面に吐水を直接当てることができるので、シンク洗いを楽に行うことができる。
【発明の効果】
【０００９】
吐水口の位置を広範囲な空間で設定することができ、柔軟な使い勝手を可能にするとともに、吐水の勢いで汚れを落とすような使い方をしても、吐水口をシンク凹形状内に位置させておけば、水跳ねがシンク凹形状外に出るのを防止でき、より強い勢いで汚れを落とすことができる。
【発明を実施するための最良の形態】
【００１０】
以下に図面を参照して本発明をより具体的に説明する。
図１は本件発明の一実施の形態である外観斜視図、図２は本件発明の昇降保持部材の縦断面図である。
図１に示すように、キッチン１にはカウンター２、カウンター２より下方に位置する取付面３、上部が凹形状のシンク４が設けられている。更に取付面３には吐水具５、開閉ハンドル６、温度調整ハンドル７が設けられている。そして吐水具５は昇降保持部材５１、昇降パイプ５２、スパウト５３、吐水口５４から構成されている。
【００１１】
昇降保持部材５１の詳細は図２に示す公知の構成となっている。すなわち、昇降保持台座５１１は取付面３に設置され、取付面３の裏側からパッキン５１２と共にナット５１３で取付面３を挟み付けて固定している。昇降パイプ５２は昇降保持台座５１１を貫通すると共に、昇降保持台座５１１内に設けられた抵抗部材５１４によって動きが規制されている。
【００１２】
詳しくは、抵抗部材５１４は昇降パイプ５２の直径よりも小さい直径を持つ略Ｃ形状をしており、更に樹脂等の弾性体で構成されているため、昇降パイプ５２の表面に巻き付く程度の摩擦力を発生させて昇降パイプ５２を拘束している。尚、昇降パイプ５２は円柱形状をしており前述の摩擦力に打ち勝つ力を昇降パイプ５２に加えることで昇降と回転が可能となる。さらに、抵抗部材５１４と昇降パイプ５２は係止位置が特に決められるわけではなく、無段階、すなわちどの位置においても係止可能な構成となっている。
【００１３】
昇降パイプ５２内には通水路としての通水管５２１が内挿されており、通水管５２１の下端部には継手５２２とホース５２３が連通接続されている。ホース５２３は開閉ハンドル６の下部に設けられた公知技術である開閉バルブ部（図示せず）に連通接続されている。他方、開閉バルブ部は温度調整ハンドル７の下部に設けられた湯水混合バルブ部（図示せず）に連通接続されている。更に湯水混合バルブ部には湯及び水を供給する湯供給管（図示せず）及び水供給管（図示せず）が連通接続されている。
【００１４】
以上のように構成することで、図示しない湯供給管及び水供給管から供給された湯水が図示しない湯水混合バルブ部で混合され、その混合水が開閉バルブ部、ホース５２３、継手５２２を経由して通水管５２１に供給されることになる。
【００１５】
次にスパウト５３及び吐水口５４について説明する。
図３は本件発明のスパウトの縦断面図、図４は同横断面図である。
図３及び図４に示すように、スパウト５３の骨格を成すスパウト台座５３２とブッシュ５３１とが４本のビス５３３によって強固に固定されている。更にブッシュ５３１は昇降パイプ５２と強固に固定されている。他方、通水管５２１は昇降パイプ５２内に内挿されると共に、スパウト５３の基端と先端部分に２枚の取付板５３４と各２本のビス５３５とによってスパウト台座５３２に強固に固定されている。そして意匠性向上、断熱性向上の目的で上カバー５３６と下カバー５３７とでスパウト台座５３２や通水管５２１等を覆っている。
【００１６】
このような中空状の構成とすることにより、スパウト５３の重量を軽量化できると共に、通水管５２１内を通る混合水の体積（重量）をより小さくできる。これにより昇降パイプ５２を上昇させるための操作力を軽く出来ると共に、昇降パイプ５２を拘束している摩擦力がスパウト５３の重量に負けて自然落下するといった不具合を軽減することができる。
【００１７】
吐水口５４の吐水口本体５４１と通水管５２１はＯリング５４２によって回転自在にシールされている。又、通水管５２１と吐水口本体５４１との抜け止めは、通水管５２１に設けられた鍔５２４と、吐水口本体５４１に２本のビス５４４で固定された固定板５４３によって行われている。これらが回転機構部５４６として機能することとなる。これにより吐水出口５４５を通水管５２１の軸周りに３６０°どの方向にも回転でき保持することができる。
なお、本実施例において回転機構部５４６はスパウト５３の先端部に設けたが、スパウト５３の基端部に設けても同様の効果を奏することは云うまでもないことである。
【００１８】
図５は本件発明の上面図、図６は本件発明のスパウト昇降の動きを示す一部断面図、図７は本件発明のスパウト回転の動きを示す外観斜視図である。
上述のような構成とすることにより、スパウト５３は図５、図６、図７に示す如く昇降パイプ５２の軸周りに回転可能であると共に、昇降パイプ５２の昇降に伴って昇降可能となる。昇降パイプ５２が最も下降した状態、すなわちスパウト５３の下カバー５３７と昇降保持台座５１１が接触した状態において、吐水口５４の一部である吐水出口５４５はシンク４の凹形状内部に位置している。
【００１９】
この状態であれば、吐水の勢いで汚れを落とすような使い方をしても、水跳ねがシンク４の凹形状外に出るのを防止でき、より強い勢いで汚れを落とすことができる。更にスパウト５３を回転させることで水跳ねがより飛び散りにくい位置に調整することが可能となる。当然、大物洗い等で吐水口空間が必要な場合は昇降パイプ５２を上昇させれば従来通りの使い方も可能となる。
【００２０】
又、スパウト５３は昇降パイプ５２から直角方向に直線状に突出した形状をしているので、昇降させるために必要な空間を最も小さくでき、空間を有効に利用することができる。特にスパウト５３を最も下降させた状態において、カウンター２の厚み内にスパウト５３が収まるような状態とできるため、吐水具５の収納といった役目も果たすことができる。
【００２１】
図８は本件発明の吐水口回転の動きを示す一部断面図である。
吐水口５４（吐水出口５４５）を通水管５２１の軸周りに３６０°どの方向にも回転でき保持することができるので、図８に示すように吐水口５４（吐水出口５４５）の向きを略水平方向に向けることで、シンク４のシンク凹形状内面に吐水を直接当てることができ、シンク洗いを楽に行うことができると共に、皿洗いなどの場合には水跳ねがより飛び散りにくい位置に吐水の方向を調整することができる。
【図面の簡単な説明】
【００２２】
【図１】本件発明の一実施の形態である外観斜視図である。
【図２】本件発明の昇降保持部材の縦断面図である。
【図３】本件発明のスパウトの縦断面図である。
【図４】本件発明のスパウトの横断面図である。
【図５】本件発明の上面図である。
【図６】本件発明のスパウト昇降の動きを示す一部断面図である。
【図７】本件発明のスパウト回転の動きを示す外観斜視図である。
【図８】本件発明の吐水口回転の動きを示す一部断面図である。
【図９】従来例を示す外観図である。
【符号の説明】
【００２３】
１…キッチン
２…カウンター
３…取付面
４…シンク
５…吐水具
５１…昇降保持部材
５２…昇降パイプ
５３…スパウト
５４…吐水口
５１４…抵抗部材
５２１…通水管（通水路）
５２２…継手
５２３…ホース
５４５…吐水出口
５４６…回転機構部
【図１】
2005139664.tif 000003
【図２】
2005139664.tif 000004
【図３】
2005139664.tif 000005
【図４】
2005139664.tif 000006
【図５】
2005139664.tif 000007
【図６】
2005139664.tif 000008
【図７】
2005139664.tif 000009
【図８】
2005139664.tif 000010
【図９】
2005139664.tif 000011